(57)【要約】【課題】通路スペース及び陳列スペースの照明を、人の動きに応じて物品が見えやすいように制御できる照明システムを提供する。【解決手段】光源部１は、通路スペース６２及び通路スペース６２に面して設けられた陳列スペース６１を照明する。第１検知部２１は、通路スペース６２の物品７０側に設定された検知領域において人の存否を検知する。第２検知部２２は、通路スペース６２において人の存否を検知する。光源部１の光出力を制御する制御部は、第１検知部２１及び第２検知部２２が両方共に人を検知していない非検知時には光源部１の光出力を減光させる。制御部は、第２検知部２２が人を検知すると陳列スペース６１の明るさが非検知時よりも明るくなるように光源部１の光出力を制御する。制御部は、第１検知部２１が人を検知すると通路スペース６２及び陳列スペース６１の明るさが両方共に非検知時よりも明るくなるように光源部１の光出力を制御する。【選択図】図１
2015088435.tif 000002
【特許請求の範囲】
【請求項１】
通路スペースおよび前記通路スペースに面して物品を陳列し得るように設けられた陳列スペースを照明する光源部と、
前記通路スペースに対して前記物品に近い側に設定された検知領域において人の存否を検知する第１検知部と、
前記通路スペースにおいて人の存否を検知する第２検知部と、
前記光源部の光出力を制御する制御部とを備え、
前記制御部は、前記第１検知部及び前記第２検知部が両方共に人を検知していない非検知時には、前記第１検知部及び前記第２検知部のうち少なくとも何れか一方が人を検知した検知時に比べて前記光源部の光出力を減光させるように構成され、
前記制御部は、前記第２検知部が人を検知すると前記陳列スペースの明るさが非検知時よりも明るくなるように前記光源部の光出力を制御し、且つ、前記第１検知部が人を検知すると前記通路スペース及び前記陳列スペースの明るさが両方共に非検知時よりも明るくなるように前記光源部の光出力を制御するように構成されたことを特徴とする照明システム。
【請求項２】
前記光源部は、前記陳列スペースを主に照明する第１光源部と、前記通路スペースを主に照明する第２光源部とを備え、
前記制御部は、非検知時には前記第１光源部及び前記第２光源部の光出力を検知時よりも減光させるように構成され、
前記制御部は、前記第２検知部が人を検知すると前記第１光源部の光出力を非検知時よりも増光させるように構成され、
前記制御部は、前記第１検知部が人を検知すると前記第１光源部及び前記第２光源部の光出力を非検知時よりもそれぞれ増光させるように構成されたことを特徴とする請求項１記載の照明システム。
【請求項３】
前記通路スペースにおいて人が通過しているか停止しているかを検知する第３検知部を備え、
前記第２検知部が人を検知している状態で、人が通過していると前記第３検知部が検知した場合は、人が停止していると前記第３検知部が検知した場合に比べて、前記第１光源部の光出力を減光させるように前記制御部が構成されたことを特徴とする請求項２記載の照明システム。
【請求項４】
前記陳列スペースに配置されて、前記陳列スペースに陳列される前記物品に関連した情報を報知する報知装置を備え、
前記制御部は、前記第２検知部が人を検知するか、又は、前記通路スペースで人が停止していることを前記第３検知部が検知すると、前記報知装置から前記物品に関する情報を報知させるように構成されたことを特徴とする請求項３記載の照明システム。
【発明の詳細な説明】
【技術分野】
【０００１】
本発明は、照明システムに関し、より詳細には、陳列されている物品を照明するための照明システムに関する。
【背景技術】
【０００２】
従来、陳列室内を照明する照明灯と、照明灯を制御する制御装置とを備えたショーケースが提案されていた（例えば特許文献１参照）。特許文献１に記載されたショーケースでは、顧客の接近を検知していない場合は陳列室内の照度を下げ、顧客の接近を検知した場合は陳列室内の照度を上げるように、制御装置が照明灯の点灯状態を制御していた。
【先行技術文献】
【特許文献】
【０００３】
【特許文献１】特開２００６−２６６６４５号公報
【発明の概要】
【発明が解決しようとする課題】
【０００４】
上記特許文献１のショーケースでは、顧客の動きに合わせて陳列室内の照度を制御しているが、ショーケースが置かれた空間全体を照明する照明器具の光出力を制御することはできなかった。
【０００５】
本発明は上記課題に鑑みて為され、通路スペース及び陳列スペースの照明を、人の動きに応じて物品が見えやすいように制御できる照明システムを提供することを目的とする。
【課題を解決するための手段】
【０００６】
本発明の照明システムは、光源部と、第１検知部と、第２検知部と、制御部とを備える。前記光源部は、通路スペースおよび前記通路スペースに面して物品を陳列し得るように設けられた陳列スペースを照明する。前記第１検知部は、前記通路スペースに対して前記物品に近い側に設定された検知領域において人の存否を検知する。前記第２検知部は、前記通路スペースにおいて人の存否を検知する。前記制御部は前記光源部の光出力を制御する。前記制御部は、前記第１検知部及び前記第２検知部が両方共に人を検知していない非検知時には、前記第１検知部及び前記第２検知部のうち少なくとも何れか一方が人を検知した検知時に比べて前記光源部の光出力を減光させるように構成される。前記制御部は、前記第２検知部が人を検知すると前記陳列スペースの明るさが非検知時よりも明るくなるように前記光源部の光出力を制御し、且つ、前記第１検知部が人を検知すると前記通路スペース及び前記陳列スペースの明るさが両方共に非検知時よりも明るくなるように前記光源部の光出力を制御するように構成される。
【０００７】
この照明システムにおいて、以下の構成をさらに備えることも好ましい。前記光源部は、前記陳列スペースを主に照明する第１光源部と、前記通路スペースを主に照明する第２光源部とを備える。前記制御部は、非検知時には前記第１光源部及び前記第２光源部の光出力を検知時よりも減光させるように構成される。前記制御部は、前記第２検知部が人を検知すると前記第１光源部の光出力を非検知時よりも増光させるように構成される。前記制御部は、前記第１検知部が人を検知すると前記第１光源部及び前記第２光源部の光出力を非検知時よりもそれぞれ増光させるように構成される。
【０００８】
この照明システムにおいて、前記通路スペースにおいて人が通過しているか停止しているかを検知する第３検知部をさらに備えることも好ましい。前記第２検知部が人を検知している状態で、人が通過していると前記第３検知部が検知した場合は、人が停止していると前記第３検知部が検知した場合に比べて、前記第１光源部の光出力を減光させるように前記制御部が構成される。
【０００９】
この照明システムにおいて、前記陳列スペースに配置されて、前記陳列スペースに陳列される前記物品に関連した情報を報知する報知装置をさらに備えることも好ましい。前記制御部は、前記第２検知部が人を検知するか、又は、前記通路スペースで人が停止していることを前記第３検知部が検知すると、前記報知装置から前記物品に関する情報を報知させるように構成される。
【発明の効果】
【００１０】
本発明によれば、非検知時には検知時に比べて光源部の光出力を減光させているので、消費電力を低減できる。第２検知部が人を検知すると、制御部は、陳列スペースの明るさが明るくなるように光源部の光出力を制御しているので、陳列スペースに陳列されている物品を明るく照明でき、通路スペースにいる人が物品に気付きやすくなる。第１検知部が人を検知すると、制御部は、通路スペースの明るさが明るくなるように光源部の光出力を制御しているので、通路スペースにいる人が物品を手にとった場合は、その物品を明るく照明することで、物品を見やすくできる。
【図面の簡単な説明】
【００１１】
【図１】（ａ）（ｂ）は本実施形態の照明システムが適用された店舗の概略的な説明図、（ｃ）は光源部の断面図である。
【図２】本実施形態の照明システムが備える照明器具の外観図である。
【図３】本実施形態の照明システムの概略的なブロック図である。
【図４】本実施形態の照明システムが適用された店舗の概略的な説明図である。
【図５】（ａ）〜（ｄ）は本実施形態の照明システムが適用された店舗の概略的な説明図である。
【図６】本実施形態の照明システムが適用された店舗の概略的な説明図である。
【図７】本実施形態の照明システムが適用された店舗の概略的な平面図である。
【図８】本実施形態の照明システムの概略的なブロック図である。
【発明を実施するための形態】
【００１２】
以下では、本発明に係る照明システムを、コンビニエンスストアやドラッグストアやスーパーマーケットのように、商品を陳列するための陳列棚が店舗内に複数配置された小売店の照明用途に適用した実施形態について図１〜図８に基づいて説明する。
【００１３】
図１（ａ）（ｂ）は陳列棚５０が店舗内に置かれた状態を示している。図示する陳列棚５０は壁から離して配置されており、２個の陳列棚５０を背中合わせに配置することで、陳列棚５０の両側を通路スペースとしている。
【００１４】
個々の陳列棚５０は、陳列棚５０の長手方向に間隔を開けて配置される複数の柱部材５１と、柱部材５１からそれぞれ前側に向かって突出する複数の桁部材５２と、同じ高さ位置に設けられた桁部材５２に架け渡すように取り付けられた複数段の棚板５３とを備える。なお、柱部材５１の間には背板（図示せず）が取り付けられている。
【００１５】
陳列棚５０は、食料品や衣料品や文具などの物品７０を陳列するために使用され、棚板５３の上に物品７０が陳列される。すなわち、複数段の棚板５３の上面が物品７０を陳列する陳列スペース６１となる。
【００１６】
図１の配置例では、背中合わせに配置された２個で１組の陳列棚５０が、長手方向が平行するように所定の間隔を開けて２組配置されており、各々の陳列棚５０の前側にある開放スペースが、人の通行する通路スペース６２となる。したがって、物品７０が配置される陳列スペース６１は、通路スペース６２に面して設けられている。
【００１７】
なお、物品７０を陳列し得る陳列棚５０の構成は、図１に示す構成に限定されるものではなく、陳列棚５０を構成する部材の種類、材料、色調、大きさなどは適宜変更が可能であり、例えば棚板５３が導光板で構成されていてもよい。また、本実施形態では棚板５３の上に物品７０を載せているが、物品７０の陳列形態は本実施形態に限定されない。物品７０をフックに引っ掛ける陳列形態でもよいし、物品７０を上方から吊り下げるような陳列形態でもよく、陳列形態に合わせた什器を用意すればよい。
【００１８】
図３は照明システムの概略構成を示し、この照明システムは、光源部１と、第１検知部２１と、第２検知部２２と、制御部３０とを備える。また本実施形態の照明システムは上記の構成に加えて第１点灯回路１３と第２点灯回路１４を備えている。
【００１９】
光源部１は、陳列スペース６１及び通路スペース６２を照明するために設けられている。本実施形態では、光源部１が、陳列スペース６１を主に照明する第１光源部１１と、通路スペース６２を主に照明する第２光源部１２を備えている。
【００２０】
第１光源部１１は、複数個の発光ダイオードが直線上に配置されたライン状の光源であり、陳列棚５０の長手方向に沿って配置されている。第１光源部１１の照明領域Ａ１（図１（ｂ）参照）は、陳列スペース６１において通路スペース６２側の領域を、通路スペース６２側から照明するように設定されている。通路スペース６２にいる人を陳列スペース６１の物品７０に注目させるためには、物品７０の鉛直面照度を高める必要があり、物品７０の前側（通路スペース６２にいる人から見える部位）が下側から上側まで均一な照度で照明されることが好ましい。また第１光源部１１は、物品７０に注目している人の目に出力光が直接入らないように、第１光源部１１の配光が設定されていることが好ましい。そこで、第１光源部１１は、陳列棚５０に陳列された物品７０に描かれている文字や図柄、或いは、物品７０そのものを、陳列棚５０の前側にいる人が認識しやすいように、物品７０の前側に斜め上側から光を照射する。なお第１光源部１１には発光ダイオードが用いられているが、高色温度で演色性の高い光を発光する光源を用いることが好ましく、エレクトロルミネッセンス（ＥＬ：Electro Luminescence）素子や蛍光ランプでもよい。
【００２１】
第２光源部１２は、複数個の発光ダイオードが直線上に配置されたライン状の光源であり、陳列棚５０の長手方向に沿って配置されている。第２光源部１２の照明領域Ａ２（図１（ｂ）参照）は通路スペース６２の一部の領域（陳列スペース６１に近い領域）に設定されている。なお通路スペース６２の幅が狭い場合は、通路スペース６２の全体を第２光源部１２の照明領域Ａ２としてもよい。陳列棚５０に陳列された物品７０を通路スペース６２にいる人が手にとった場合、手に取った物品７０を人が認識しやすくするためには、物品７０の水平面照度を高める必要がある。そこで、第２光源部１２は、陳列棚５０に陳列された物品７０に通路スペース６２にいる人が手を伸ばした場合に、手に取った物品７０に描かれている文字や図柄、或いは、物品７０そのものを認識しやすいよう、物品７０に上側から光を照射する。なお第２光源部１２には発光ダイオードが用いられているが、高色温度で演色性の高い光を発光する光源を用いることが好ましく、エレクトロルミネッセンス素子や蛍光ランプでもよい。
【００２２】
第１点灯回路１３は、第１光源部１１に電力を供給して、第１光源部１１を点灯させる。
【００２３】
第２点灯回路１４は、第２光源部１２に電力を供給して、第２光源部１２を点灯させる。
【００２４】
第１検知部２１及び第２検知部２２は、それぞれ、焦電型の赤外線検出素子を備え、人体から放射される熱線を検出することによって、検知領域における人の存否を検知する。なお、第１検知部２１及び第２検知部２２は、人体から放射される赤外線を検出するものに限定されず、超音波式やマイクロ電波式や音響式のものでもよい。
【００２５】
制御部３０は、第１検知部２１及び第２検知部２２の検知結果に基づいて、第１点灯回路１３及び第２点灯回路１４の出力を制御することによって、第１光源部１１及び第２光源部１２の光出力を制御する。
【００２６】
本実施形態では、光源部１と、第１検知部２１と、第２検知部２２と、制御部３０と、第１点灯回路１３と、第２点灯回路１４とを、陳列棚５０の上部に取り付けられる器具本体４０Ａに収納してある。ここにおいて、光源部１と、第１検知部２１及び第２検知部２２と、制御部３０と、これらを収納する器具本体４０Ａとで照明器具が構成される。
【００２７】
器具本体４０Ａは、図１及び図２に示すように、陳列棚５０の上側に取り付けられて使用される。図２は器具本体４０Ａを下側から見た外観図であり、基部４１と、一対のアーム４２と、灯体４３を備える。
【００２８】
基部４１は、両端に位置する柱部材５１の上端部の間に架け渡すようにして取り付けられている。
【００２９】
一対のアーム４２のうち、一方のアーム４２は基部４１の長手方向における一端側から上向きに突出し、他方のアーム４２も基部４１の長手方向における他端側から上向きに突出している。一対のアーム４２は、陳列棚５０の長手方向から見た形状が同じ形状に形成されており、基部４１から遠ざかるにつれて前側に突出するように湾曲している。一対のアーム４２の先端はそれぞれ灯体４３に連結されており、灯体４３はアーム４２を介して基部４１に支持されている。
【００３０】
灯体４３は、下側面が開口した長尺のケース４３ａと、ケース４３ａの開口を塞ぐ透光性のカバー４３ｂとを備える。ケース４３ａの内部には、長尺の回路基板４４，４５が収納されている。回路基板４４の下面には、第１光源部１１をなす複数個の発光ダイオードが長手方向に等間隔に並ぶように実装されている。回路基板４５の下面には、第２光源部１２をなす複数個の発光ダイオードが長手方向に等間隔に並ぶように実装されている。第２光源部１２が実装された回路基板４５は、第２光源部１２の発光を下向きにするために、発光面を下側に向け、器具本体４０Ａが陳列棚５０に取り付けられた状態で回路基板４５が水平となるようにケース４３ａ内に収納されている。第１光源部１１が実装された回路基板４４は、第１光源部１１の発光を斜め下向きとするために、発光面を下側に向け、器具本体４０Ａが陳列棚５０に取り付けられた状態で回路基板４４が水平面に対して斜めに傾斜するように、ケース４３ａ内に収納されている。第１光源部１１及び第２光源部１２は照射方向を下側に向けているので、第１光源部１１及び第２光源部１２の発光が人の目に直接入りにくくなり、グレアを防止できるとともに、店舗空間の雰囲気に与える影響を低減できる。
【００３１】
ここで、通路スペース６２にいる人Ｐ１が手にとった物品７０を第２光源部１２が近くから照明できるよう、成人の平均身長を考慮して、第２光源部１２を含めた光源部１は床１００から約２００ｃｍの高さに設置されている。光源部１を収納した灯体４３は陳列棚５０の上側に取り付けられるので、高さが３ｍ以上の天井に光源部１が設置される場合に比べて、物品７０と光源部１との距離が短くなり、光源部１の光束を低下させることができるから、消費エネルギーを低減できる。本実施形態では光源部１を収納した灯体４３が陳列棚５０の上方に位置しているが、陳列棚５０の背が高い場合には、床１００からの高さが２００ｃｍ以下で、平均身長よりも高い位置にある棚板５３に光源部１が設置されていてもよい。
【００３２】
また、灯体４３の長手方向における一端側には第１検知部２１が取り付けられ、灯体４３の長手方向における他端側には第２検知部２２が取り付けられる。
【００３３】
第１検知部２１は、通路スペース６２に対して物品７０に近い側に設定された検知領域Ｂ１（図１（ａ）参照）において人の存否を検知する。第１検知部２１は、通路スペース６２を人が通行している場合に、この人物を検知しないように検知領域Ｂ１が設定されている。
【００３４】
第２検知部２２は、すれ違い通行が可能な幅の通路スペース６２の場合は通路スペース６２において陳列棚５０に近い側に設定された検知領域Ｂ２（図１（ａ）参照）で人の存否を検知する。
【００３５】
制御部３０は、第１検知部２１及び第２検知部２２の検知結果に基づいて、第１光源部１１及び第２光源部１２の発光量を制御しており、以下にその制御内容を説明する。
【００３６】
検知領域Ｂ１，Ｂ２に人が存在せず、第１検知部２１及び第２検知部２２が両方共に人を検知していない場合、制御部３０は、第１点灯回路１３及び第２点灯回路１４の出力を制御して、第１光源部１１及び第２光源部１２を減光状態で点灯させる。人がいない状態では、第１光源部１１及び第２光源部１２を所定の第１調光レベルで減光点灯させることで、消費電力を低減することができる。
【００３７】
第２検知部２２の検知領域Ｂ２に人Ｐ１が入ると、第２検知部２２が人を検知して、人検知信号を制御部３０に出力する。制御部３０は、第２検知部２２から人検知信号が入力されると、通路スペース６２において陳列棚５０に近い側を人Ｐ１が通行していると判断し、第１光源部１１の光出力を第２調光レベルに増光させるように、第１点灯回路１３の出力を制御する。第１光源部１１の光出力を第２調光レベルに増光させることで、棚板５３に陳列された物品７０が、その周囲よりも明るく照明されるから、通路スペース６２を歩く人に物品７０を注目させることができる。
【００３８】
通路スペース６２にいる人Ｐ１が、棚板５３に陳列された物品７０に手を伸ばすと、第１検知部２１の検知領域Ｂ１に人体の一部が入り、第１検知部２１が人体を検知して、人検知信号を制御部３０に出力する。制御部３０は、第１検知部２１から人検知信号が入力されると、人Ｐ１が陳列スペース６１に手を伸ばして物品７０を取ろうとしていると判断し、第２光源部１２の光出力を第３調光レベルに増光させるように、第２点灯回路１４の出力を制御する。この場合、第１光源部１１及び第２光源部１２の光出力が、非検知時の第１調光レベルに比べて増光した状態となり、照明領域Ａ１，Ａ２が明るく照明される。したがって、人Ｐ１が手に取った物品７０が第２光源部１２の発光によって明るく照明されるから、手元の物品７０が見えやすくなる。なお、制御部３０は、第１光源部１１の光出力を増光させる際に、色温度を低色温度から高色温度に変化させながら、光出力を増光させてもよい。
【００３９】
制御部３０は、第１検知部２１から人検知信号が入力された時点から所定時間が経過すると、第２光源部１２の光出力を第３調光レベルから第１調光レベルに減光させるように、第２点灯回路１４の出力を制御する。なお、制御部３０は、第２光源部１２の光出力を第３調光レベルから第１調光レベルに減光させる際に、店舗内の雰囲気を崩さないように、人に気付かれない程度のスピードで徐々に光出力を変化させることも好ましい。
【００４０】
その後、通路スペース６２にいた人Ｐ１が検知領域Ｂ２の外に移動すると、第１検知部２１及び第２検知部２２は両方共に人を検知しない状態となり、第１検知部２１及び第２検知部２２から制御部３０に人検知信号が入力されなくなる。制御部３０は、第１検知部２１及び第２検知部２２から人検知信号が入力されなくなると、その時点から所定時間が経過した時点で、第１光源部１１の光出力を第２調光レベルから第１調光レベルに減光させるように第１点灯回路１３の出力を制御する。ここで、制御部３０は、第１光源部１１の光出力を第２調光レベルから第１調光レベルに減光させる際に、店舗内の雰囲気を崩さないように、人に気付かれない程度のスピードで徐々に光出力を変化させることも好ましい。なお、制御部３０は、第１光源部１１の光出力を減光させる際に、色温度を高色温度から低色温度に変化させながら、光出力を減光させてもよい。
【００４１】
また、陳列棚５０には、棚板５３に陳列されている物品７０の情報などを画像や音声で報知する報知装置８０（例えばタブレット端末など）が取り付けられ、制御部３０が報知装置８０の報知動作を制御するようにしてもよい。制御部３０と報知装置８０とは無線通信機能を備え、制御部３０は報知装置８０に制御信号を無線送信する。制御部３０は、第２検知部２２から人検知信号が入力されると、報知動作を開始させる制御信号を報知装置８０に無線送信する。この無線信号を報知装置８０が受信すると、報知装置８０は制御信号に基づいて報知動作を開始しており、通路スペース６２にいる人Ｐ１に物品７０に関する情報などを提供することができる。なお制御部３０は、第２検知部２２から人検知信号が入力されなくなると、所定時間後に報知動作を停止させる制御信号を報知装置８０に無線送信することも好ましい。報知装置８０がこの制御信号を受信すると、報知動作を停止しており、人がいなくなると報知動作を自動的に停止するので消費電力を低減できる。報知装置８０は、報知動作を停止する際に、人が気付かない程度のゆっくりとしたスピードで、例えば音量を徐々に小さくするようなフェードアウト動作を行うことも好ましく、店舗内にいる客が違和感を抱きにくくなる。
【００４２】
以上説明したように、本実施形態の照明システムは、光源部１と、第１検知部２１と、第２検知部２２と、制御部３０とを備える。光源部１は、通路スペース６２および通路スペース６２に面して物品７０を陳列し得るように設けられた陳列スペース６１を照明する。第１検知部２１は、通路スペース６２の物品７０側に設定された検知領域Ｂ１において人の存否を検知する。第２検知部２２は、通路スペース６２において人の存否を検知する。制御部３０は光源部１の光出力を制御する。制御部３０は、第１検知部２１及び第２検知部２２が両方共に人を検知していない非検知時には、第１検知部２１及び第２検知部２２のうち少なくとも何れか一方が人を検知した検知時に比べて光源部１の光出力を減光させるように構成される。制御部３０は、第２検知部２２が人を検知すると陳列スペース６１の明るさが非検知時よりも明るくなるように光源部１の光出力を制御する。制御部３０は、第１検知部２１が人を検知すると通路スペース６２及び陳列スペース６１の明るさが両方共に非検知時よりも明るくなるように光源部１の光出力を制御するように構成される。
【００４３】
このように、非検知時には検知時に比べて光源部１の光出力を減光させているので、消費電力を低減できる。第２検知部２２が人を検知すると、制御部３０は、陳列スペース６１の明るさが明るくなるように光源部１の光出力を制御しているので、陳列スペース６１に陳列されている物品７０を明るく照明でき、通路スペース６２にいる人が物品７０に気付きやすくなる。第１検知部２１が人を検知すると、制御部３０は、通路スペース６２の明るさが明るくなるように光源部１の光出力を制御しているので、通路スペース６２にいる人が物品７０を手にとった場合は、その物品７０を明るく照明することで、物品７０を見やすくできる。
【００４４】
また、本実施形態の照明システムでは、光源部１が、陳列スペース６１を主に照明する第１光源部１１と、通路スペース６２を主に照明する第２光源部１２を備える。制御部３０は、非検知時には第１光源部１１及び第２光源部１２の光出力を検知時よりも減光させるように構成される。制御部３０は、第２検知部２２が人を検知すると第１光源部１１の光出力を非検知時よりも増光させるように構成される。制御部３０は、第１検知部２１が人を検知すると第１光源部１１及び第２光源部１２の光出力を非検知時よりもそれぞれ増光させるように構成される。
【００４５】
このように、制御部３０は、非検知時には検知時に比べて第１光源部１１及び第２光源部１２の光出力を減光させているので、消費電力を低減できる。第２検知部２２が人を検知すると、制御部３０は第１光源部１１の光出力を増光させているので、陳列スペース６１に陳列されている物品７０を明るく照明でき、通路スペース６２にいる人が物品７０に気付きやすくなる。第１検知部２１が人を検知すると、制御部３０は第２光源部１２の光出力を増光させているので、通路スペース６２にいる人が物品７０を手にとった場合は、その物品７０を明るく照明することで、物品７０を見やすくできる。
【００４６】
また、本実施形態の照明システムは、陳列スペース６１に配置されて、陳列スペース６１に陳列される物品７０に関連した情報を報知する報知装置８０をさらに備えている。制御部３０は、第２検知部２２が人を検知すると、報知装置８０から物品７０に関する情報を報知させるように構成されている。これにより、通路スペース６２にいる人に物品７０に関連した情報を提供することができる。
【００４７】
ところで、本実施形態では光源部１などを収納した器具本体４０Ａは陳列棚５０に取り付けられているが、図４に示すように、天井１０１に設置された器具本体４０Ｂに光源部１などを収納してもよい。
【００４８】
また、本実施形態では、第１光源部１１と第２光源部１２が同一の器具本体４０Ａに収納されているが、第１光源部１１と第２光源部１２を別々の器具本体に収納してもよい。例えば、図５（ａ）〜（ｄ）に示すように、天井１０１に取り付けられる器具本体４０Ｂに第２光源部１２と第２点灯回路１４とを収納し、器具本体４０Ｂとは別の器具本体に第１光源部１１と第１点灯回路１３を収納してもよい。図５（ａ）〜（ｄ）の形態では、天井１０１に設置された器具本体４０Ｂに収納されている第１光源部１１が、隣接する陳列棚５０の間にある通路スペース６２の全体を照明領域としている。第２検知部２２は、通路スペース６２の全体を検知領域とし、通路スペース６２における人の存否を検知する。第２検知部２２が人を検知すると、制御部３０は、第１光源部１１を非検知時よりも明るい調光レベルで点灯させ、通路スペース６２の両側の陳列スペース６１に陳列されている物品７０を非検知時よりも明るい光で照明する。なお、制御部３０と第１検知部２１と第２検知部２２とは、第１光源部１１を収納する器具本体に収納してもよいし、第２光源部１２を収納する器具本体４０Ｂに収納してもよい。
【００４９】
図５（ａ）の形態では、陳列棚５０の上部に取り付けられる器具本体４０Ａに、第１光源部１１と第１点灯回路１３と制御部３０と第１検知部２１とが収納される。この形態では、器具本体４０Ａに収納された制御部３０と、器具本体４０Ｂに収納された第２点灯回路１４とがそれぞれ無線通信機能を備え、制御部３０は第２点灯回路１４に制御信号を無線送信している。第１検知部２１が人を検知して人検知信号を制御部３０に出力すると、制御部３０は、第２光源部１２の光出力を増光させる制御信号を第２点灯回路１４に無線送信し、第２点灯回路１４が受信した制御信号に基づいて第２光源部１２の光出力を増光させる。なお、制御部３０による制御動作は図１に示す形態の照明システムと同様であるので詳細な説明は省略する。
【００５０】
図５（ｂ）の形態では、天井１０１に設置された器具本体４０Ｂから吊り具４６を介して吊り下げられた灯体４０Ｃに第１光源部１１が取り付けられている。灯体４０Ｃに取り付けられた第１光源部１１は、通路スペース６２を挟んで両側（図５（ｂ）における左右）にある陳列棚５０の陳列スペース６１を照明領域としており、通路スペース６２の両側に設定した照明領域Ａ３を照明する。また、第１検知部２１及び第２検知部２２は器具本体４０Ｂに収納されている。第２検知部２２は、通路スペース６２の全体を検知領域とし、通路スペース６２における人の存否を検知する。第１検知部２１の検知領域は、第２検知部２２の検知領域に対して、両側の陳列スペース６１に陳列される物品７０側に設定されており、通路スペース６２の両側にある陳列スペース６１に陳列された物品７０に手を伸ばす人の動きを検知する。
【００５１】
この形態の照明システムでは、第２検知部２２が通路スペース６２において人Ｐ１を検知し、人検知信号を制御部３０に出力すると、制御部３０は第１点灯回路１３を制御して、第１光源部１１の光出力を増光させる。第１光源部１１の光出力が増光すると、両側の陳列スペース６１にある物品７０が通路スペース６２よりも明るく照明されるので、通路スペース６２にいる人が物品７０に注目しやすくなる。また、通路スペース６２にいる人Ｐ１が両側にある陳列スペース６１の何れかに陳列された物品７０に手を伸ばすと、第１検知部２１が人体を検知して人検知信号を制御部３０に出力する。制御部３０は、第１検知部２１から人検知信号が入力されると、第２点灯回路１４を制御して、第２光源部１２の光出力を増光させる。人Ｐ１が陳列スペース６１にある物品７０を手に取った場合、第２光源部１２の光出力が増光することによって、手元の物品７０が明るく照明されるから、物品７０に書かれた文字や図柄が読みやすくなり、物品７０そのものの見栄えもよくなる。
【００５２】
また図５（ｃ）の形態では、各々の棚板５３の前側（通路スペース６２側）に取り付けられた灯体４０Ｄに第１光源部１１と第１点灯回路１３を収納してある。灯体４０Ｄに収納された第１光源部１１は、上側及び下側にそれぞれ光を照射しており、陳列スペース６１において通路スペース６２に近い領域を照明する。この形態では、器具本体４０Ｂに制御部３０と第１検知部２１と第２検知部２２とが収納されている。器具本体４０Ｂに収納された制御部３０と、灯体４０Ｄに収納された第１点灯回路１３はそれぞれ無線通信機能を備え、制御部３０は第１点灯回路１３に制御信号を無線送信する。なお、複数の灯体４０Ｄに収納されている第１点灯回路１３にはそれぞれアドレスが付与されており、制御部３０は、アドレスを指定することで所望の第１点灯回路１３に宛てて無線信号を送信することができる。
【００５３】
この形態の照明システムでは、第２検知部２２が、通路スペース６２において人Ｐ１を検知すると、人検知信号を制御部３０に出力する。制御部３０は、第２検知部２２から人検知信号が入力されると、第１光源部１１の光出力を増光させる制御信号を、通路スペース６２に面して配置された灯体４０Ｄに収納されている第１点灯回路１３に宛てて無線送信する。通路スペース６２に面して配置された灯体４０Ｄに収納されている第１点灯回路１３は、制御部３０から送信された自機宛ての制御信号を受信すると、受信した制御信号に基づいて第１光源部１１の光出力を増光させる。これにより、通路スペース６２に面した棚板５３の前側に設けられている第１光源部１１の光出力が増光し、通路スペース６２に面した棚板５３に陳列されている物品７０が明るく照明されるので、通路スペース６２にいる人が物品７０に注目しやすくなる。また、通路スペース６２にいる人Ｐ１が両側にある陳列スペース６１の何れかに陳列された物品７０に手を伸ばすと、第１検知部２１が人体を検知して人検知信号を制御部３０に出力する。制御部３０は、第１検知部２１から人検知信号が入力されると、第２点灯回路１４を制御して、第２光源部１２の光出力を増光させる。人Ｐ１が陳列スペース６１にある物品７０を手に取った場合、第２光源部１２の光出力が増光することによって、手元の物品７０が明るく照明されるから、物品７０に書かれた文字や図柄が読みやすくなり、物品７０そのものの見栄えもよくなる。
【００５４】
また図５（ｄ）の形態では、陳列棚５０の長手方向における両端部に、柱部材５１の上部及び下部にそれぞれアーム４７を介して連結された棒状の灯体４０Ｅを備え、この灯体４０Ｅにライン状の光源である第１光源部１１と第１点灯回路１３を収納してある。灯体４０Ｅは棚板５３の前側寄りに配置されており、灯体４０Ｅに収納された第１光源部１１は、陳列スペース６１を横方向から照明する。この形態では、器具本体４０Ｂに制御部３０と第１検知部２１と第２検知部２２とが収納されている。器具本体４０Ｂに収納された制御部３０と、灯体４０Ｄに収納された第１点灯回路１３はそれぞれ無線通信機能を備え、制御部３０は第１点灯回路１３に制御信号を無線送信する。なお、複数の灯体４０Ｄに収納されている第１点灯回路１３にはそれぞれアドレスが付与されており、制御部３０は、アドレスを指定することで所望の第１点灯回路１３に宛てて無線信号を送信することができる。この形態の照明システムの制御動作は、図５（ｃ）の形態と同様であるので、その説明は省略する。
【００５５】
また、上述の形態では、第１検知部２１が、第２検知部２２の検知領域よりも物品７０側を検知領域とするように検知領域が設定された赤外線検出素子で構成されているが、対象物までの距離を測定する測距センサで第１検知部２１を実現してもよい。
【００５６】
図６及び図７の形態の照明システムは、図５（ａ）に示す形態の照明システムにおいて、第１検知部２１として、棚板５３の前側に取り付けられた測距センサ２４を備えたシステムである。測距センサ２４は、赤外光を照射し、対象物で反射された反射光が入射するまでの時間を測定することで、対象物の存否、対象物が存在する場合は対象物までの距離を測定する。測距センサ２４は、陳列棚５０の長手方向及び鉛直方向とそれぞれ直交する方向の通路スペース６２側を検知領域Ｂ３とするように棚板５３に取り付けられており、検知領域Ｂ３における対象物（人体）の存否、対象物が存在する場合は対象物までの距離を測定する。測距センサ２４及び制御部３０は無線通信機能を備え、測距センサ２４は、対象物を検出すると、対象物までの距離を制御部３０に無線送信する。制御部３０は、測距センサ２４から送信された対象物までの距離値を受信すると、対象物までの距離値と所定の閾値Ｌ１との長短を比較し、対象物までの距離値が閾値Ｌ１よりも短ければ、人が陳列スペース６１に手を伸ばそうとしていると判断し、第２点灯回路１４を制御して第２光源部１２の光出力を増加させる。
【００５７】
なお、制御部３０は、測距センサ２４によって測定された距離値をもとに、測距センサ２４が取り付けられた陳列棚５０の向かいにある別の陳列棚５０に人が接近しているか否かを判断してもよい。制御部３０には、通路スペース６２の幅Ｌ３と人体の胴部の厚みＬ４とを考慮して、反対側にある陳列棚５０の手前に閾値Ｌ２（Ｌ２＝Ｌ３−Ｌ４−Ｌ１）が設定されている。制御部３０は、測距センサ２４によって測定された距離値と閾値Ｌ２との長短を比較し、距離値が閾値Ｌ２以上、且つ、（Ｌ３−Ｌ４）未満であれば、向かいにある陳列棚５０の物品７０に人Ｐ１が手を伸ばそうとしていると判断し、第２点灯回路１４を制御して第２光源部１２の光出力を増加させる。
【００５８】
このように、図６及び図７に示す照明システムでは、第１検知部２１を測距センサで実現しているが、測距センサを用いて通路スペース６２における人の存否を検知してもよい。
【００５９】
また、上述の実施形態では、第２検知部２２が通路スペース６２における人の存否のみを検知しているが、通路スペース６２において人が停止しているか否かを検知するようにしてもよい。
【００６０】
例えば、図８に示すように、照明システムが、上方から床側を撮像した場合の撮像領域における温度分布を計測した結果を熱画像として出力する熱画像センサ２３を備え、熱画像センサ２３が撮像した熱画像をもとに、検知領域における人の存否を検知してもよい。この熱画像センサ２３は、人の存否を検知したい領域を人体よりも高い場所から撮像可能であれば、器具本体４０Ａに収納されていてもよいし、天井、壁、或いは陳列棚５０に取り付けられていてもよい。熱画像センサ２３は、所定の撮影間隔で、撮影領域の熱画像を撮影し、熱画像のデータを制御部３０に出力する。
【００６１】
この形態の照明システムによる制御動作について以下に説明する。先ず、この照明システムが動作を開始する初期状態において、制御部３０は、熱画像センサ２３から入力される熱画像を背景画像として、内部メモリ又は外部メモリに記憶させる。初期状態では陳列スペース６１及び通路スペース６２に人が存在しないと判断されるので、制御部３０は、熱画像に予め設定した第１領域および第２領域に存在する人の数を「０」とする。ここで、第２領域は、通路スペース６２において人の存否を検知したい領域であり、第１領域は、第２領域に対して陳列スペース６１に陳列される物品７０側に設定された領域である。
【００６２】
初期状態において、制御部３０は、第１領域および第２領域の両方に人がいないと判断すると、第１光源部１１及び第２光源部１２を、人が存在する場合に比べて減光した状態で点灯させる。
【００６３】
その後、制御部３０は、熱画像センサ２３から熱画像を定期的に取り込み、熱画像センサ２３から取り込んだ熱画像と、メモリに記憶された背景画像との差分画像を演算により求め、差分画像を所定の閾値で二値化して、白又は黒の二値化画像を生成する。熱画像センサ２３の設置場所や撮影角度、人の平均的な体格などの条件をもとに、熱画像に人体が写った場合の大きさの上限値及び下限値が予め求められ、この上限値及び下限値が制御部３０に予め設定されている。そして、制御部３０は、二値化画像から背景と異なる画素の集まりである画素領域を抽出し、画素領域の大きさが下限値以上且つ上限値以下であれば、人が存在すると判断する。制御部３０は、人が存在すると判断した場合、人と判断された画素領域が第１領域及び第２領域の何れか一方、或いは、第１領域及び第２領域の両方に存在するのかを判断し、第２領域に存在する場合は、人の存在を連続して検出する検出時間を計測する。尚、背景画像は、人が存在しない初期状態に撮影したものを使用し続けてもよいし、定期的に背景画像を更新するようにしてもよい。
【００６４】
制御部３０は、熱画像センサ２３が撮像した熱画像をもとに第２領域で人を検出し、且つ、検出時間が所定の基準値（例えば５秒）以上になると、第２領域で人が停止していると判断し、第１光源部１１の光出力を増光させる制御信号を第１点灯回路１３に出力する。この制御信号が第１点灯回路１３に入力されると、第１点灯回路１３は第１光源部１１に供給する電力を増やして、第１光源部１１の光出力を増光させる。第１光源部１１の光出力が増光すると、陳列スペース６１に陳列された物品７０が明るく照明されるから、通路スペース６２にいる人が物品７０に注目しやすくなる。制御部３０は、第２領域で人が停止していると判断した場合に、上述の報知装置８０から報知動作を行わせてもよく、停止している人に物品７０の情報などを提供することができる。図８の形態の照明システムでは、熱画像センサ２３と制御部３０の演算機能により、通路スペース６２の物品側に設定された検知領域で人の存否を検知する第１検知部と、通路スペース６２で人の存否を検知する第２検知部と、通路スペース６２において人が通過しているか停止しているかを検知する第３検知部とが実現されている。
【００６５】
制御部３０は、熱画像センサ２３から取り込んだ熱画像をもとに第１領域で人を検出すると、第２光源部１２の光出力を増光させる制御信号を第２点灯回路１４に出力する。この制御信号が第２点灯回路１４に入力されると、第２点灯回路１４は第２光源部１２に供給する電力を増やして、第２光源部１２の光出力を増光させる。第２光源部１２の光出力が増光すると、手元の物品７０が明るく照明されるから、物品７０に書かれた文字や図柄が読みやすくなり、物品７０そのものの見栄えもよくなる。
【００６６】
制御部３０は、熱画像センサ２３から取り込んだ熱画像をもとに第１領域で人を検出しなくなると、人を検知しなくなってから所定時間後に、第２光源部１２の光出力を減光させる制御信号を第２点灯回路１４に出力し、第２光源部１２の光出力を減光させる。第２点灯回路１４は、第２光源部１２の光出力を減光させる際に、店舗内の雰囲気を崩さないよう、人に気付かれない程度のスピードで徐々に光出力を変化させることも好ましい。なお、制御部３０は、第１光源部１１の光出力を減光させる際に、色温度を高色温度から低色温度に変化させながら、光出力を減光させてもよい。
【００６７】
また、制御部３０は、熱画像センサ２３から取り込んだ熱画像をもとに、第２領域で人を検出しなくなると、人を検出しなくなってから所定時間が経過した時点で、第１光源部１１の光出力を減光させる制御信号を第１点灯回路１３に出力する。この制御信号が第１点灯回路１３に入力されると、第１点灯回路１３は第１光源部１１に供給する電力を減らして、第１光源部１１の光出力を減光する。なお、第１点灯回路１３は、第１光源部１１の光出力を減光させる際に、店舗内の雰囲気を崩さないよう、人に気付かれない程度のスピードで徐々に光出力を変化させることも好ましい。なお、制御部３０は、第１光源部１１の光出力を減光させる際に、色温度を高色温度から低色温度に変化させながら、光出力を減光させてもよい。
【００６８】
この形態の照明器具では、制御部３０が、熱画像センサ２３から取り込んだ熱画像をもとに、第２領域で人を検出した場合でも、検出時間が所定の基準値未満であれば、第２領域を人が通過していると判断し、第１光源部１１の光出力を減光状態のままで維持する。これにより、通路スペース６２に人が入っても、通路スペース６２を人が通過している場合は、第１光源部１１を増光させないので、消費電力を低減できる。
【００６９】
すなわち、図８の形態の照明システムは、通路スペース６２において人が通過しているか停止しているかを検知する第３検知部（熱画像センサ２３及び制御部３０）をさらに備えている。そして、第２検知部が人を検知している状態で、通路スペースを人が通過していると第３検知部が検知した場合は、人が停止していると第３検知部が検知した場合に比べて、第１光源部１１の光出力を減光させるように制御部３０が構成されている。これにより、通路スペース６２を人が通過している場合は第１光源部１１が減光点灯するから、消費電力を低減できる。
【００７０】
なお、図８の形態の照明システムでは、通路スペース６２において人が通過している場合は第１光源部１１を減光状態とし、人が停止している場合は第１光源部１１を増光させているが、通路スペース６２において人が通過している場合は第１光源部１１を第１調光レベルまで増光させ、人が停止している場合は第１光源部１１を、第１調光レベルよりも明るい第２調光レベルまでさらに増光させてもよい。
【００７１】
なお、図８の形態の照明システムでは、熱画像センサ２３によって撮像された熱画像をもとに人の存否を検知し、さらに通路スペース６２で人が停止しているか否かを検知しているが、人が停止しているか否かを検知するセンサは熱画像センサ２３に限定されない。
【００７２】
例えば、可視光画像を撮像する画像センサを用い、画像センサで撮像された画像から人の存否と、人が停止しているか否かを検知してもよい。なお、可視光画像を撮像する画像センサとしては、ＣＣＤ（Charge Coupled Device）イメージセンサやＣＭＯＳ（Complementary Metal Oxide Semiconductor）イメージセンサなどのイメージセンサがある。熱画像センサ２３や画像センサの個数は１個でも、複数個でもよく、検知対象の領域を撮像するのに必要な個数であればよい。また、第３検知部を赤外線検出素子や測距センサで実現することも可能である。すなわち、赤外線検出素子や測距センサが人を検知している検知時間が所定の基準値以上継続するか否かで、人が通過しているか、停止しているかを検出することができる。
【００７３】
また、図８の形態の照明システムは、陳列スペース６１に配置されて、陳列スペース６１に陳列される物品７０に関する情報を報知する報知装置８０をさらに備えてもよい。制御部３０は、第３検知部が人を検知すると、報知装置８０から物品７０に関する情報を報知させるように構成されている。これにより、通路スペース６２で立ち止まっている人に物品７０に関する情報を提供することができる。
【００７４】
なお、上述した各形態の照明システムでは、個々の陳列棚５０に設けられた照明器具に、第１検知部２１と第２検知部２２と制御部３０とが設けられているが、１つの制御部３０で複数台の照明器具を制御してもよい。また、第１検知部２１及び第２検知部２２が複数台の陳列棚５０の陳列スペース６１及び通路スペース６２を検知領域としてもよい。第２検知部２２が通路スペース６２で人を検知すると、制御部３０は、人の検知場所に面した陳列棚５０の陳列スペース６１を照明する第１光源部１１の光出力を増光させる。また、第１検知部２１が陳列スペース６１で人を検知すると、制御部３０は、人の検知場所に面した通路スペース６２を照明する第２光源部１２の光出力を増光させる。この場合、制御部３０には、第１光源部１１及び第２光源部１２のアドレス情報と設置場所とが対応付けて記憶されている。
【００７５】
また、上述の各形態の照明システムは、コンビニエンスストアなどの店舗の照明用途に適用されているが、図書館や書店などで書架に陳列された書籍を照明する用途や、美術館や博物館などで展示品を照明する用途に適用されてもよい。美術館や博物館では、展示品の近くにガイド音声を再生させるためのスイッチが設置されている場合があり、このスイッチを操作する動きを第１検知部で検知すればよい。
【符号の説明】
【００７６】
１  光源部
１１  第１光源部
１２  第２光源部
２１  第１検知部
２２  第２検知部
２３  熱画像センサ（第１検知部、第２検知部、第３検知部）
２４  測距センサ
３０  制御部（第１検知部、第２検知部、第３検知部）
５０  陳列棚
６１  陳列スペース
６２  通路スペース
７０  物品
８０  報知装置
【図１】
2015088435.tif 000003
【図２】
2015088435.tif 000004
【図３】
2015088435.tif 000005
【図４】
2015088435.tif 000006
【図５】
2015088435.tif 000007
【図６】
2015088435.tif 000008
【図７】
2015088435.tif 000009
【図８】
2015088435.tif 000010